(57)【要約】      （修正有）【課題】水切りかごの中に簡単にセットでき、その上に食器類を置いた際に摩擦音が小さくて心地よい上、食器類は滑らずに傷付かず、通常の水切りを行える利便性に優れた水切りマットを提供する。【解決手段】複数本の線材９・・・により水切り用貫通部６を有する底部と側壁部７が形成された水切りかごＫの前記底部に載置自在な水切りマットＭであって、当該水切りマットＭは衝撃を吸収して消音するシリコーンゴム等の弾性のある材料で、前記水切りかごＫの底部と略同じ大きさに形成され、垂直方向に貫通し水分が流下自在な水切り用小孔３・・・が多数設けられている。【選択図】図４
0003166273.tif 000002
【実用新案登録請求の範囲】
【請求項１】
複数本の線材により水切り用貫通部を有する底部と側壁部が形成された水切りかごの前記底部に載置自在な水切りマットであって、
当該水切りマットは衝撃を吸収して消音する弾性のある材料で、前記水切りかごの底部と略同じ大きさに形成され、垂直方向に貫通し水分が流下自在な水切り用小孔が多数設けられていることを特徴とする水切りマット。
【請求項２】
水切りかごの底部を形成する隣り合う線材間の水切り用貫通部の上に、水切りマットの水切り用小孔が配置自在に構成されていることを特徴とする、請求項１に記載した水切りマット。
【請求項３】
水切りマットの縦断面形状が、山部と谷部を交互に有する波型形状に形成され、前記山部が水切りかごの底部をなす線材の上に配置され、隣り合う前記山部間の谷部に水切り用小孔が形成され、水分が高低差により前記山部から水切り用小孔へと流下自在に構成されていることを特徴とする、請求項１又は２に記載した水切りマット。
【請求項４】
水切りマットの外周が、やや上向きに立上った側壁部に形成され、水切りかご内に嵌合自在であることを特徴とする請求項１〜３のいずれか１項に記載した水切りマット。
【請求項５】
水切りマットが、シリコーンゴムで形成されていることを特徴とする請求項１〜４のいずれか１項に記載した水切りマット。
【請求項６】
水切りかごの脚部により底部がやや上方に位置し、当該底部の直下に水受けトレーが着脱自在であり、水切りかご内の水切りマットの上に置かれた濡れた食器類の水分が、水切り用小孔及び水切り用貫通部を流下して前記トレーで受ける構成であることを特徴とする請求項１〜５のいずれか１項に記載した水切りマット。
【請求項７】
水切りかごが、シンクに係止自在なバスケット又は小物を載置自在なラックであることを特徴とする請求項１又は２又は３又は４又は６に記載した水切りマット。
【考案の詳細な説明】
【技術分野】
【０００１】
本考案は水切りマットの技術分野に属し、さらに言えば、台所のキッチンユニット等のシンク周辺に設置される水切り用のかごやバスケット、ラック等の中にセットされ、その上に、洗い終った皿やコップ、茶碗、箸、スプーン、フォーク、ナイフ、お玉、フライ返し、ピーラー等（以下、総称して食器類ともいう。）を載置し、食器類に付着した水分の水切りに供される水切りマットに関するものである。
【背景技術】
【０００２】
ステンレス等の線材よりなる所謂水切りかごは、洗った食器類をその中に載置して簡便に水切りを行うことができ、種々開発されている。
【０００３】
例えば、特開２００２−３３０８８０号特許公開公報には、皿等の食器を少なくとも一側面から支持する突起部を有する側面線材と、前記皿等の食器を底面で保持する底面線材とからなり、前記底面線材の一部を外むきに凸状に形成したことを特徴とする水切りかごが開示されている。
【先行技術文献】
【特許文献】
【０００４】
【特許文献１】特開２００２−３３０８８０号特許公開公報
【考案の概要】
【考案が解決しようとする課題】
【０００５】
前記文献１の水切りかごの場合、底面線材の間に皿などの食器を立てて水切りを行う一般的なものであるが、線材はステンレス製のワイヤー等で形成されたものが多い。しかし、このステンレス製のワイヤー等の線材に、食器を載置する際に、その都度、食器がステンレス製線材に擦れた音がして耳触りである。また、食器が底面線材の上で滑って傷付くおそれもある。
【０００６】
したがって、本考案の目的は、水切りかごの中に簡単にセットでき、その上に食器類を置いた際に摩擦音が小さくて心地よい上、食器類は滑らずに傷付かず、通常の水切りを行える利便性に優れた水切りマットを提供することである。
【課題を解決するための手段】
【０００７】
上記課題を解決するための手段として、請求項１記載の考案は、複数本の線材９・・・により水切り用貫通部６を有する底部８と側壁部７が形成された水切りかごＫの前記底部８に載置自在な水切りマットＭであって、
当該水切りマットＭは衝撃を吸収して消音する弾性のある材料で、前記水切りかごＫの底部８と略同じ大きさに形成され、垂直方向に貫通し水分が流下自在な水切り用小孔３が多数設けられていることを特徴とする。
【０００８】
請求項２記載の考案の水切りマットＭは、前記水切りかごＫの底部８を形成する隣り合う線材９、９間の水切り用貫通部６の上に、水切りマットＭの水切り用小孔３が配置自在に構成されていることを特徴とする。
【０００９】
請求項３記載の考案は、前記水切りマットＭの縦断面形状が、山部１と谷部２を交互に有する波型形状に形成され、前記山部１が水切りかごＫの底部８をなす線材９の上に配置され、隣り合う前記山部１、１間の谷部２に水切り用小孔３が形成され、水分が高低差により前記山部１から水切り用小孔３へと流下自在に構成されていることを特徴とする、
【００１０】
請求項４記載の考案は、前記水切りマットＭの外周４が、やや上向きに立上った側壁部５に形成され、水切りかごＫ内に嵌合自在であることを特徴とする。
【００１１】
請求項５記載の考案は、前記水切りマットＭが、シリコーンゴム製であることを特徴とする。
【００１２】
請求項６記載の考案は、前記水切りかごＫの脚部１０により底部８がやや上方に位置し、当該底部８の直下に水受けトレーＴが着脱自在であり、水切りかごＫ内の水切りマットＭの上に置かれた濡れた食器Ｓ類の水分が、水切り用小孔３及び水切り用貫通部６を流下して前記トレーＴで受ける構成であることを特徴とする。
【００１３】
請求項７記載の考案は、前記水切りかごＫが、シンクに係止自在なバスケットＢ又は小物を載置自在なラックＲであることを特徴とする。
【考案の効果】
【００１４】
請求項１記載の考案の水切りマットは、衝撃を吸収して消音する弾性のある材料で、水切りかごの底部と略同じ大きさに形成され、垂直方向に貫通し水分が流下自在な水切り用小孔が多数設けられているので、マット上の食器に付着した水分は、水切り用小孔から下方に流れ落ち水切りに一切支障がない。
【００１５】
しかも、この水切りマットは、水切りかごの中に簡単にセットできる上、請求項５のようにシリコーンゴムで形成した場合、食器をこのマットに載置する際には、当該シリコーンゴム製の水切りマットが衝撃を吸収して滑らず、食器を傷付けず便利である。その上、水切りかごのステンレス製線材に食器が接触しないで、シリコーンゴム製の水切りマットＭに接するので、擦れた際の音が少なく使い心地がよい。
【００１６】
請求項２記載の考案の水切りマットは、水切りかごの底部を形成する隣り合う線材間の水切り用貫通部の上に、シリコーンゴム製等の水切りマットの水切り用小孔が配置されるので、マット上に載置した食器類の水分は、水切りマットの水切り用小孔とその直下の水切りかごの水切り用貫通部を通じて確実に流下する。
【００１７】
請求項３記載の考案の水切りマットは、シリコーンゴム製等の水切りマットの縦断面形状が、山部と谷部を交互に有する波型形状に形成され、前記山部が水切りかごの底部をなす線材の上に配置され、隣り合う前記山部間の谷部に水切り用小孔が形成されているので、食器類はステンレス製の線材に接触することなく、確実にシリコーンゴム製等の水切りマット上に載置される上、食器類の水分の流下が、高低差を利用して山部から谷部の水切り用小孔へとスムーズに行われる。
【００１８】
請求項４記載の考案の水切りマットは、シリコーンゴム製等の水切りマットの外周が、やや上向きに立上った側壁部に形成されているので、水切りかご内にぴったりと嵌合できて、水切りかごの底部の線材上での不動状態が保持される。
【００１９】
請求項６記載の考案の水切りマットは、水切りかごの脚部により底部がやや上方に位置し、当該底部の直下に水受けトレーが着脱自在であるから、水切りかご内の水切りマットの上に置かれた濡れた食器類の水分が、水切り用小孔と水切り用貫通部を流下し前記トレーで確実に受けて使い勝手がよい。
【００２０】
請求項７記載の考案の水切りマットは、水切りかごの代りに、シンクに係止自在なバスケットや、小物を載置自在なラックにも使用できる自在性があって便利である。
【考案を実施するための最良の形態】
【００２１】
本考案に係る水切りマットの好適な実施形態を、図面にしたがって説明する。この水切りマットは、水切りかごＫの中に敷き、その上に水切り用の食器Ｓを載置して該食器Ｓの水切りに使用されるものである。
【００２２】
水切りかごＫは、複数本のステンレス製の線材９・・・によって、底部８と側壁部７を備えたかご状に形成されている。図３に示した本実施形態の水切りかごＫは、底部８を形成する直線部分を有して左右が上向きに折曲された１５本の横線材９０と、同じく底部８を形成する直線部分を有して折曲された２本の縦線材９１とが、底部８で直交して溶着されている。隣り合う横線材９０、９０同士は、各々２０ｍｍ間隔で平行に配置されている。同様に、隣り合う縦線材９１、９１同士は、９３ｍｍ間隔で平行に配置されている。本水切りかごＫの底部８は、縦×横が１６３×３２８ｍｍに形成されている。
【００２３】
かくして、底部８をなす各線材９（横線材９０、縦線材９１）・・・の間が、空隙となっており、底部８上の食器Ｓの水分を下方に流下可能な水切り用貫通部６として形成されている。
【００２４】
本実施形態の水切りマットＭについて説明する。
【００２５】
図１及び図２に示した水切りマットＭは、前記図３の水切りかごＫの底部８（線材９）の上に載置自在である（図４参照）。
【００２６】
この水切りマットＭは、衝撃を吸収して防滑効果があると共に、接触する食器Ｓが擦れた際の音が少ない消音効果に優れたシリコーンゴムにより製作されている。その全体形状は横長形状で、前記水切りかごＫの底部８と略同じ大きさか若干小さく、縦×横が１６３×３２０ｍｍに形成されている。なお、当該水切りマットＭの外周４は、やや上向きに立上った側壁部５に形成され、水切りかごＫ内にぴったりと嵌合自在となっている。
【００２７】
そして、前記水切りマットＭには、垂直方向に貫通し、水分が流下自在な水切り用小孔３が多数設けられている。この水切り用小孔３は、横方向に長く形成された１つの長孔３０に対し、その長孔３０の延長線上の左右に各々形成された短孔３１、３１とで成る。長孔３０の長さは８２ｍｍ、幅寸は６ｍｍ、短孔３１の長さは２０ｍｍ、幅寸は６ｍｍであり、隣り合う長孔３０、３０間及び短孔３１、３１間は、２０ｍｍである。
【００２８】
よって、この水切りマットＭは、前記水切りかごＫの底部８を形成する隣り合う線材９、９間の水切り用貫通部６の上に、前記水切り用小孔３が重なって配置自在に構成されている（図５、図６参照）。
【００２９】
さらに詳述すると、図２Ｂに示したように当該シリコーンゴム製水切りマットＭの縦断面形状は、山部１と谷部２を交互に有する波型形状に形成され、前記山部１が水切りかごＫの底部８をなす線材９の上に配置されて（図４）、隣り合う前記山部１、１間の谷部２に水切り用小孔３が形成されている。なお、前記山部１の裏面には、リブ１２が設けられている（図２Ｂ、Ｃ、図５）。
【００３０】
したがって、図９に拡大して示したように、食器Ｓに付着した水分（同図中の矢印参照）が、高低差により前記山部１から水切り用小孔３（谷部２）へと流下自在となっている。
【００３１】
また、山部１が線材９の上に配置され、線材９が表面に現れないため、水切りマットＭの山部１・・・の上に、食器Ｓが確実に載置される（図７、図８）。そのため、食器Ｓをこのシリコーンゴム製水切りマットＭに載置する際には、衝撃を吸収して食器が傷付かない上、ステンレス製線材９に食器Ｓが接触することなく、擦れた際の音が少なく使い易いのである。
【００３２】
なお、図１０は、上述した水切りかごＫの最下部に、水受け用のトレーＴを使用する実施形態を示している。水切りかごＫの底部８（線材９）に接続された脚部１０によって底部８がやや上方に位置され、底部８の下に空間が形成され、そこに水受けトレーＴが着脱自在となっている（図３参照）。よって、水切りかごＫ内の水切りマットＭ上に置かれた濡れた食器Ｓの水分が、水切り用小孔３及び水切り用貫通部６を流下して該トレーＴ上で確実に受けられる。
【００３３】
この図１０に示した実施形態は、本実施形態の水切りかごＫより大きいタイプの水切りかごＫと、それに使用される大きいタイプの水切りマットＭを示している。
【００３４】
さらに、水切りかごＫの代りに、図１１に示したようなシンクに係止自在なバスケットＢとしても上記同様に実施される。或いはまた、図１２に示したような小物を載置自在なラックＲに、本水切りマットＭを載置して同様に実施可能である。
【図面の簡単な説明】
【００３５】
【図１】水切りマットを示した斜視図である。
【００３６】
【図２】Ａ、Ｂ、Ｃは、水切りマットの平面図、縦断面図、横断面図をそれぞれ示している。
【００３７】
【図３】水切りかごを示した斜視図である。
【００３８】
【図４】水切りかごに水切りマットをセットした状態を示した斜視図である。
【００３９】
【図５】水切りマットのセット要領を示した説明図である。
【００４０】
【図６】水切りマットに食器を立てて載置した使用状態を示した拡大斜視図である。
【００４１】
【図７】水切りマットへの食器の載置要領を示した斜視図である。
【００４２】
【図８】水切りマットへの食器の載置状態を示した部分縦断面説明図である。
【００４３】
【図９】水切りマットにおける水分の流下要領を示した拡大説明図である。
【００４４】
【図１０】大型水切りマットを示した斜視図である。
【００４５】
【図１１】バスケットへの使用状態を示した斜視図である。
【００４６】
【図１２】ラックへの使用状態を示した斜視図である。
【符号の説明】
【００４７】
Ｍ    水切りマット
１    山部
２    谷部
３    水切り用小孔
４    外周
５    側壁部
Ｋ    水切りかご
６    水切り用貫通部
７    側壁部
８    底部
９    線材
１０  脚部
Ｔ    トレー
Ｓ    食器
Ｂ    バスケット
Ｒ    ラック
【図２】
0003166273.tif 000003
【図１】
0003166273.tif 000004
【図３】
0003166273.tif 000005
【図４】
0003166273.tif 000006
【図５】
0003166273.tif 000007
【図６】
0003166273.tif 000008
【図７】
0003166273.tif 000009
【図８】
0003166273.tif 000010
【図９】
0003166273.tif 000011
【図１０】
0003166273.tif 000012
【図１１】
0003166273.tif 000013
【図１２】
0003166273.tif 000014